(57)【要約】【課題】  波長が異なる３つのレーザー光によって異なる規格の光ディスクに記録されている信号の読み出し動作を行う光ピックアップ装置を提供する。【解決手段】  第１、第２及び第３レーザー光の光路合成を行う第１、第２ハーフミラー１７、１９を設け、また前記第２ハーフミラー１９と対物レンズとの間に設けられているとともに第１レーザー光、第２レーザー光及び第３レーザー光の偏光方向を直線偏光光から円偏光光へ、また円偏光光から直線偏光光へ変換する３波長対応型の１／４波長板９を共通光路内に設け、前記第２ハーフミラー１９によって第１ハーフミラー１７で発生する非点収差を相殺する。【選択図】  図１
2012074126.tif 000002
【特許請求の範囲】
【請求項１】
光ディスクの表面から信号記録層までの距離が短い第１光ディスクに記録されている信号
の読み出し動作を行う第１波長のレーザー光を放射するレーザーダイオード、光ディスク
の表面から信号記録層までの距離が前記第１光ディスクより長い第２光ディスクに記録さ
れている信号の読み出し動作を行う第２波長のレーザー光及び光ディスクの表面から信号
記録層までの距離が前記第２光ディスクより長い第３光ディスクに記録されている信号の
読み出し動作を行う第３波長のレーザー光の２つのレーザー光を放射する２波長レーザー
ダイオードが組み込まれた光ピックアップ装置において、前記２波長レーザーダイオード
から放射される第２レーザー光及び第３レーザー光を対物レンズ方向へ導くとともに前記
第１光ディスクの信号記録層、第２光ディスクの信号記録層及び第３光ディスクの信号記
録層から反射される第１レーザー光、第２レーザー光及び第３レーザー光を光検出器方向
へ導く第１ハーフミラーと、該第１ハーフミラーと対物レンズとの間に設けられていると
ともに前記レーザーダイオードから放射される第１レーザー光、前記第１ハーフミラーを
透過した第２レーザー光及び第３レーザー光を対物レンズ方向へ導き、且つ前記第１光デ
ィスクの信号記録層、第２光ディスクの信号記録層及び第３光ディスクの信号記録層から
反射される第１レーザー光、第２レーザー光及び第３レーザー光を前記第１ハーフミラー
方向へ導く第２ハーフミラーと、該第２ハーフミラーと対物レンズとの間に設けられてい
るとともに第１レーザー光、第２レーザー光及び第３レーザー光の偏光方向を直線偏光光
から円偏光光へ、また円偏光光から直線偏光光へ変換する３波長対応型の１／４波長板と
より成り、前記第２ハーフミラーによって第１ハーフミラーで発生する非点収差を相殺す
るようにしたことを特徴とする光ピックアップ装置。
【請求項２】
２波長レーザーダイオードから放射される第２レーザー光及び第３レーザー光の一部を第
１ハーフミラーの反射によって第１フロントモニターダイオードに導き、該第１フロント
モニターダイオードによって第２レーザー光及び第３レーザー光の出力をモニターするよ
うにしたことを特徴とする請求項１に記載の光ピックアップ装置。
【請求項３】
レーザーダイオードから放射される第１レーザー光の一部を第２ハーフミラーの透過によ
って第２フロントモニターダイオードに導き、該第２フロントモニターダイオードによっ
て第１レーザー光の出力をモニターするようにしたことを特徴とする請求項１に記載の光
ピックアップ装置。
【発明の詳細な説明】
【技術分野】
【０００１】
本発明は、光ディスクに記録されている信号の読み出し動作や光ディスクに信号の記録
動作をレーザー光によって行う光ピックアップ装置に関する。
【背景技術】
【０００２】
光ピックアップ装置から照射されるレーザー光を光ディスクの信号記録層に照射するこ
とによって信号の読み出し動作や信号の記録動作を行うことが出来る光ディスク装置が普
及している。
【０００３】
光ディスク装置としては、ＣＤやＤＶＤと呼ばれる光ディスクを使用するものが一般に
普及しているが、最近では記録密度を向上させた光ディスク、即ちＢｌｕ−ｒａｙ規格の
光ディスクを使用するものが開発されている。
【０００４】
ＣＤ規格の光ディスクに記録されている信号の読み出し動作を行うレーザー光としては
、波長が７８５ｎｍである赤外光が使用され、ＤＶＤ規格の光ディスクに記録されている
信号の読み出し動作行うレーザー光としては、波長が６５５ｎｍの赤色光が使用されてい
る。
【０００５】
また、ＣＤ規格の光ディスクにおける信号記録層と光ディスクの表面との間に設けられ
ている透明な保護層の厚さは１．２ｍｍであり、この信号記録層から信号の読み出し動作
を行うために使用される対物レンズの開口数は、０．４７と設定されている。そして、Ｄ
ＶＤ規格の光ディスクにおける信号記録層と光ディスクの表面との間に設けられている透
明な保護層の厚さは０．６ｍｍであり、この信号記録層から信号の読み出し動作を行うた
めに使用される対物レンズの開口数は、０．６と設定されている。
【０００６】
斯かるＣＤ規格及びＤＶＤ規格の光ディスクに対して、Ｂｌｕ−ｒａｙ規格の光ディス
クに記録されている信号の読み出し動作を行うレーザー光としては、波長が短いレーザー
光、例えば波長が４０５ｎｍの青紫色光が使用されている。
【０００７】
Ｂｌｕ−ｒａｙ規格の光ディスクにおける信号記録層の上面に設けられている保護層の
厚さは、０．１ｍｍであり、この信号記録層から信号の読み出し動作を行うために使用さ
れる対物レンズの開口数は、０．８５と設定されている。
【０００８】
Ｂｌｕ−ｒａｙ規格の光ディスクに設けられている信号記録層に記録されている信号の
読み出し動作や該信号記録層に信号を記録するためにレーザー光を集光させることによっ
て生成されるレーザースポットの径を小さくする必要がある。所望のレーザースポット形
状を得るために使用される対物レンズは、開口数が大きくなるだけでなく焦点距離が短く
なるので、対物レンズの曲率半径が小さくなるという特徴がある。
【０００９】
前述したＣＤ規格、ＤＶＤ規格及びＢｌｕ−ｒａｙ規格の全ての光ディスクに記録され
ている信号の読み出し動作や記録動作を行うことが出来る光ディスク装置が製品化されて
いるが、斯かる光ディスク装置に組み込まれる光ピックアップ装置として、Ｂｌｕ−ｒａ
ｙ規格の光ディスクに記録されている信号の読み出し動作を行う第１レーザー光を放射す
るレーザーダイオード、該レーザーダイオードから放射される第１レーザー光を信号記録
層に集光させる第１対物レンズ、ＤＶＤ規格の光ディスクに記録されている信号の読み出
し動作を行う第２レーザー光及びＣＤ規格の光ディスクに記録されている信号の読み出し
動作を行う第３レーザー光を放射する２波長レーザーダイオード、そして第２レーザー光
及び第３レーザー光を各光ディスクの信号記録層に集光させる第２対物レンズが組み込ま
れた光ピックアップ装置が一般に採用されている(特許文献１参照。)。
【先行技術文献】
【特許文献】
【００１０】
【特許文献１】特開２０１０−６１７８１号公報
【発明の概要】
【発明が解決しようとする課題】
【００１１】
１つの波長のレーザー光を放射するレーザーダイオード、２つの波長のレーザー光を放
射する２波長レーザーダイオード、そして２つの対物レンズによって規格の異なる３つの
光ディスクに記録されている信号の読み出し動作を行うように構成された光ピックアップ
装置において、各レーザー光毎に光路を設けた場合には多くの光学部品を必要とするため
高価になるだけでなく、小型化することが出来ないという問題がある。
【００１２】
斯かる問題を解決する方法として特許文献１に記載されているように光路を兼用すると
ともに光検出器を兼用する技術が提供されている。しかしながら、斯かる技術は光路合成
を行う光学素子として２つの偏光ビームスプリッタを使用しているので製造価格が高くな
るという問題がある。
【００１３】
斯かる問題を解決する方法として１つの偏光ビームスプリッタと１つのハーフミラーを
利用して第１レーザー光、第２レーザー光及び第３レーザー光の光路を共通化することが
行われている。斯かる構成の従来の光ピックアップ装置について図２及び図３を参照して
説明する。
【００１４】
図３において、１は例えば波長が４０５ｎｍの青紫色光である第１レーザー光を生成放
射するレーザーダイオード、２は前記レーザーダイオード１から放射される第１レーザー
光が入射される第１回折格子であり、レーザー光を０次光であるメインビーム、＋１次光
及び−１次光である２つのサブビームに分離する回折格子部２ａと入射されるレーザー光
をＳ方向の直線偏光光に変換する１／２波長板２ｂとより構成されている。
【００１５】
３は例えば波長が６５５ｎｍの赤色光である第２レーザー光を生成放射する第１レーザ
ー素子及び７８５ｎｍの赤外色光である第３レーザー光を生成放射する第２レーザー素子
が同一のケース内に収納されている２波長レーザーダイオードである。
【００１６】
４は前記２波長レーザーダイオード３に組み込まれている第１レーザー素子から放射さ
れる第２レーザー光及び第２レーザー素子から放射される第３レーザー光が入射される第
２回折格子であり、レーザー光を０次光であるメインビーム、＋１次光及び−１次光であ
る２つのサブビームに分離する回折格子部４ａと入射されるレーザー光をＳ方向の直線偏
光光に変換する１／２波長板４ｂとより構成されている。
【００１７】
５は前記２波長レーザーダイオード３から放射される第２レーザー光及び第３レーザー
光が前記第２回折格子４を通して入射される位置に設けられているダイバージェンスレン
ズであり、入射される発散光であるレーザー光の発散角度を調整する作用を成すものであ
る。
【００１８】
６は前記第１回折格子２を透過して入射される第１レーザー光のＳ偏光光を反射すると
ともに後述する光路を通して光ディスクから反射されてくる第１レーザー光、第２レーザ
ー光及び第３レーザー光の戻り光であるＰ偏光光を透過するハーフミラーである。７は前
記第２回折格子４及びダイバージェンスレンズ５を通して入射される第２レーザー光及び
第３レーザー光のＳ偏光光を反射するとともに前記ハーフミラー６にて反射されて入射さ
れる第１レーザー光を透過させ、且つ光ディスクから反射されてくる第１レーザー光、第
２レーザー光及び第３レーザー光の戻り光であるＰ偏光光を透過させる偏光ビームスプリ
ッタである。
【００１９】
斯かる構成の偏光ビームスプリッタ７において、前記第２回折格子４及びダイバージェ
ンスレンズ５を通して入射される第２レーザー光及び第３レーザー光のＳ偏光光の一部を
透過させるとともにハーフミラー６から反射されて入射される第１レーザー光のＳ偏光光
の一部を反射させるように構成されている。８は前記偏光ビームスプリッタ７にて反射さ
れる第１レーザー光、該偏光ビームスプリッタ７を透過する第２レーザー光及び第３レー
ザー光が照射される位置に設けられているフロントモニターダイオードであり、各レーザ
ー光の出力に応じた検出信号を出力するように構成されている。即ち、前記フロントモニ
ターダイオード８から得られる検出信号を利用することによってレーザー出力を所望のレ
ーザー出力になるように制御することが出来る。
【００２０】
９は前記偏光ビームスプリッタ７を透過した第１レーザー光、該偏光ビームスプリッタ
７にて反射された第２レーザー光及び第３レーザー光が入射される位置に設けられている
とともに３つの異なる波長のレーザー光に対応して入射されるレーザー光を直線偏光光か
ら円偏光光に、また反対に円偏光光から直線偏光光に変換する作用を成す３波長対応型の
１／４波長板である。
【００２１】
１０は前記１／４波長板９を透過したレーザー光が入射されるとともに入射されるレー
ザー光を平行光に変換するコリメートレンズであり、該コリメートレンズ１０の光軸方向
への変位動作によって光ディスクの保護層の厚さに基づいて生じる球面収差を補正するよ
うに構成されている。
【００２２】
１１は第１レーザー光を第１光ディスクＤ１(図２参照)に設けられている信号記録層Ｌ
１に集光する第１対物レンズ、１２は第２レーザー光を第２光ディスクＤ２に設けられて
いる信号記録層Ｌ２に集光させるとともに第３レーザー光を第３光ディスクＤ３に設けら
れている信号記録層Ｌ３に集光させる第２対物レンズである。斯かる構成において、第１
対物レンズ１１と第２対物レンズ１２とは、例えば４本の支持ワイヤーによって光ディス
クの面に対して直角方向であるフォーカシング方向への変位動作及び光ディスクの径方向
であるトラッキング方向への変位動作を行うことが出来るように支持されているレンズホ
ルダーと呼ばれる部材に搭載されている。
【００２３】
前記コリメートレンズ１０を透過した第１レーザー光、第２レーザー光及び第３レーザ
ー光は、図２に示す光学系によって第１対物レンズ１１及び第２対物レンズ１２に導かれ
るように構成されている。図２において、１３は波長選択性素子であり、第１レーザー光
を透過させるとともに第２レーザー光及び第３レーザー光を第２対物レンズ１２方向へ反
射させるように構成されている。１４は前記波長選択性素子１３を透過した第１レーザー
光を第１対物レンズ１１方向へ反射させる立ち上げミラーである。斯かる構成は特許文献
１に記載されている技術と同一である。
【００２４】
斯かる構成において、コリメートレンズ１０を透過した第１レーザー光は、前記波長選
択性素子１３を透過するとともに立ち上げミラー１４にて反射されて第１対物レンズ１１
に入射されることになる。このようにして第１対物レンズ１１に入射された第１レーザー
光は、該第１対物レンズ１１の集光動作によって第１光ディスクＤ１に設けられている信
号記録層Ｌ１に集光されることになる。
【００２５】
また、コリメートレンズ１０を透過した第２レーザー光は、前記波長選択性素子１３に
て反射されて第２対物レンズ１２に入射されることになる。このようにして第２対物レン
ズ１２に入射された第２レーザー光は、該第２対物レンズ１２の集光動作によって第２光
ディスクＤ２に設けられている信号記録層Ｌ２に集光されることになる。そして、コリメ
ートレンズ１０を透過した第３レーザー光は、前記波長選択性素子１３にて反射されて第
２対物レンズ１２に入射されることになる。このようにして第２対物レンズ１２に入射さ
れた第３レーザー光は、該第２対物レンズ１２の集光動作によって第３光ディスクＤ３に
設けられている信号記録層Ｌ３に集光されることになる。
【００２６】
斯かる構成において、レーザーダイオード１から放射された第１レーザー光は、第１回
折格子２、ハーフミラー６、偏光ビームスプリッタ７、１／４波長板９、コリメートレン
ズ１０、波長選択性素子１３及び立ち上げミラー１４を介して第１対物レンズ１１に入射
された後、該第１対物レンズ１１の集光動作によって第１光ディスクＤ１に設けられてい
る信号記録層Ｌ１に集光スポットとして照射されるが、前記信号記録層Ｌ１に照射された
第１レーザー光は該信号記録層Ｌ１にて戻り光として反射されることになる。
【００２７】
また、２波長レーザーダイオード３の第１レーザー素子から放射された第２レーザー光
は、第２回折格子４、ダイバージェンスレンズ５、偏光ビームスプリッタ７、１／４波長
板９、コリメートレンズ１０及び波長選択性素子１３を介して第２対物レンズ１２に入射
された後、該第２対物レンズ１２の集光動作によって第２光ディスクＤ２に設けられてい
る信号記録層Ｌ２に集光スポットとして照射されるが、前記信号記録層Ｌ２に照射された
第２レーザー光は該信号記録層Ｌ２にて戻り光として反射されることになる。
【００２８】
そして、２波長レーザーダイオード３の第２レーザー素子から放射された第３レーザー
光は、第２回折格子４、ダイバージェンスレンズ５、偏光ビームスプリッタ７、１／４波
長板９、コリメートレンズ１０及び波長選択性素子１３を介して第２対物レンズ１２に入
射された後、該第２対物レンズ１２の集光動作によって第３光ディスクＤ３に設けられて
いる信号記録層Ｌ３に集光スポットとして照射されるが、前記信号記録層Ｌ３に照射され
た第３レーザー光は該信号記録層Ｌ３にて戻り光として反射されることになる。
【００２９】
第１光ディスクＤ１の信号記録層Ｌ１から反射された第１レーザー光の戻り光は、第１
対物レンズ１１、立ち上げミラー１４、波長選択性素子１３、コリメートレンズ１０、１
／４波長板９及び偏光ビームスプリッタ７を通してハーフミラー６に入射される。このよ
うにしてハーフミラー６に入射される戻り光は、前記１／４波長板９による位相変更動作
によってＰ方向の直線偏光光に変更されている。従って、斯かる第１レーザー光の戻り光
は前記ハーフミラー６にて反射されることはなく、制御用レーザー光として該ハーフミラ
ー６を透過することになる。
【００３０】
また、第２光ディスクＤ２の信号記録層Ｌ２から反射された第２レーザー光の戻り光は
、第２対物レンズ１２、波長選択性素子１３、コリメートレンズ１０、１／４波長板９及
び偏光ビームスプリッタ７を通してハーフミラー６に入射される。このようにしてハーフ
ミラー６に入射される戻り光は、前記１／４波長板９による位相変更動作によってＰ方向
の直線偏光光に変更されている。従って、斯かる第２レーザー光の戻り光は前記ハーフミ
ラー６にて反射されることはなく、制御用レーザー光として該ハーフミラー６を透過する
ことになる。
【００３１】
そして、第３光ディスクＤ３の信号記録層Ｌ３から反射された第３レーザー光の戻り光
は、第２対物レンズ１２、波長選択性素子１３、コリメートレンズ１０、１／４波長板９
及び偏光ビームスプリッタ７を通してハーフミラー６に入射される。このようにしてハー
フミラー６に入射される戻り光は、前記１／４波長板９による位相変更動作によってＰ方
向の直線偏光光に変更されている。従って、斯かる第３レーザー光の戻り光は前記ハーフ
ミラー６にて反射されることはなく、制御用レーザー光として該ハーフミラー６を透過す
ることになる。
【００３２】
１５は前記ハーフミラー６を透過した制御用レーザー光が入射されるＡＳ板であり、該
ハーフミラー６にて生成される非点収差の大きさをフォーカスエラー信号を生成するため
に適した大きさになるように拡大する作用を成すとともに該ハーフミラー６にて発生する
コマ収差を補正する作用を成すものである。１６は前記ＡＳ板１５を通して制御用レーザ
ー光が照射される光検出器１４であり、周知の４分割センサー等が設けられており、メイ
ンビームの照射動作によって光ディスクの信号記録層に記録されている信号の読み出し動
作に伴う信号生成動作及び非点収差法によるフォーカシング制御動作を行うためのフォー
カスエラー信号生成動作、そして２つのサブビームの照射動作によってトラッキング制御
動作を行うためのトラッキングエラー信号生成動作を行うように構成されている。斯かる
各種の信号生成のための制御動作は、周知であるので、その説明は省略する。
【００３３】
前述したようにレーザーダイオード１から放射される第１レーザー光の第１光ディスク
Ｄ１の信号記録層Ｌ１までの往路、２波長レーザーダイオード３から放射される第２レー
ザー光の第２光ディスクＤ２の信号記録層Ｌ２までの往路及び２波長レーザーダイオード
３から放射される第３レーザー光の第３光ディスクＤ３の信号記録層Ｌ３までの往路につ
いて比較すると、偏光ビームスプリッタ７から波長選択性素子１３までの光路を兼用して
いることがわかる。
【００３４】
そして、第１光ディスクＤ１の信号記録層Ｌ１から反射される第１レーザー光の戻り光
の光検出器１６までの復路、第２光ディスクＤ２の信号記録層Ｌ２から反射される第２レ
ーザー光の戻り光の光検出器１６までの復路及び第３光ディスクＤ３の信号記録層Ｌ３か
ら反射される第３レーザー光の戻り光の光検出器１６までの復路について比較すると、波長選択性素子１３から光検出器１６までの光路を兼用していることがわかる。
【００３５】
図３に示した従来の光ピックアップ装置は、レーザー光を光ディスクの信号記録層に導
く往路及び光ディスクの信号記録層から反射される戻り光を光検出器１６に導く復路を兼
用しているので、光学部品の数を減らすことが出来、その結果、製造価格を下げることが
出来るだけでなく光ピックアップ装置を小型化することが出来るという利点を有している
。
【００３６】
斯かる構成の光ピックアップ装置は、レーザーダイオード１から放射される第１レーザ光を第１光ディスクＤ１に導く往路において非点収差を発生させないためにはビームスプリッタ７にプリズム型のものを使用する必要があると共に、レーザーダイオード１をハーフミラー６の反射面側に配置する必要がある、という制約があった。
【００３７】
本発明は、斯かる問題を解決することが出来る光ピックアップ装置を提供しようとする
ものである。
【課題を解決するための手段】
【００３８】
本発明は、光ディスクの表面から信号記録層までの距離が短い第１光ディスクに記録さ
れている信号の読み出し動作を行う第１波長のレーザー光を放射するレーザーダイオード
、光ディスクの表面から信号記録層までの距離が前記第１光ディスクより長い第２光ディ
スクに記録されている信号の読み出し動作を行う第２波長のレーザー光及び光ディスクの
表面から信号記録層までの距離が前記第２光ディスクより長い第３光ディスクに記録され
ている信号の読み出し動作を行う第３波長のレーザー光の２つのレーザー光を放射する２
波長レーザーダイオードが組み込まれた光ピックアップ装置において、前記２波長レーザ
ーダイオードから放射される第２レーザー光及び第３レーザー光を対物レンズ方向へ導く
とともに前記第１光ディスクの信号記録層、第２光ディスクの信号記録層及び第３光ディ
スクの信号記録層から反射される第１レーザー光、第２レーザー光及び第３レーザー光を
光検出器方向へ導く第１ハーフミラーと、該第１ハーフミラーと対物レンズとの間に設け
られているとともに前記レーザーダイオードから放射される第１レーザー光、前記第１ハ
ーフミラーを透過した第２レーザー光及び第３レーザー光を対物レンズ方向へ導き、且つ
前記第１光ディスクの信号記録層、第２光ディスクの信号記録層及び第３光ディスクの信
号記録層から反射される第１レーザー光、第２レーザー光及び第３レーザー光を前記第１
ハーフミラー方向へ導く第２ハーフミラーと、該第２ハーフミラーと対物レンズとの間に
設けられているとともに第１レーザー光、第２レーザー光及び第３レーザー光の偏光方向
を直線偏光光から円偏光光へ、また円偏光光から直線偏光光へ変換する３波長対応型の１
／４波長板とより成り、前記第２ハーフミラーによって第１ハーフミラーで発生する非点
収差を相殺するようにしたことを特徴とするものである。
【発明の効果】
【００３９】
本発明は、波長が異なる第１、第２及び第３レーザー光によって規格の異なる第１、第
２及び第３光ディスクに設けられている信号記録層に集光させることによって各信号記録
層に記録されている信号の読み出し動作を行うように構成された光ピックアップ装置にお
いて、光路合成を行う光学素子として２つのハーフミラーを使用するようにしたので、プ
リズム型の偏光ビームスプリッタを使用する場合と比較して製造価格を下げることが出来
る。
【図面の簡単な説明】
【００４０】
【図１】本発明に係る光ピックアップ装置の一実施例を示す概略図である。
【図２】本発明に係る光ピックアップ装置の実施例の一部を示す図である。
【図３】従来の光ピックアップ装置の一実施例を示す概略図である。
【発明を実施するための形態】
【００４１】
単一のレーザー光を生成するレーザーダイオード及び異なる波長の２つのレーザー光を
生成する２波長レーザーダイオードから放射されるレーザー光を利用して異なる規格の光
ディスクに設けられている信号記録層に記録されている信号の読み出し動作を行うように
構成された光ピックアップ装置に関するものである。
【実施例１】
【００４２】
図１は本発明の光ピックアップ装置の一実施例であり、図１及び図２を参照して本発明
について説明する。尚、図３に示した光ピックアップ装置と同一の作用を成す部品には同
一の符号を付している。
【００４３】
１７は第２回折格子４を通して入射される第２レーザー光及び第３レーザー光のＳ偏光
光の多くを透過させるとともに一部をモニター光として反射させ、且つ光ディスクから反
射されてくる第１レーザー光、第２レーザー光及び第３レーザー光の戻り光であるＰ偏光
光を光検出器１６の方向へ反射させる第１ハーフミラーである。
【００４４】
１８は前記第１ハーフミラー１７にて反射される第２レーザー光及び第３レーザー光の
モニター光が照射される位置に設けられている第１フロントモニターダイオードであり、
第２レーザー光及び第３レーザー光の出力に応じた検出信号を出力するように構成されて
いる。即ち、前記第１フロントモニターダイオード１８から得られる検出信号を利用する
ことによって２波長レーザーダイオード３から放射される第２レーザー光及び第３レーザ
ー光の出力を所望のレーザー出力になるように制御することが出来る。
【００４５】
１９は第１回折格子２を通して入射される第１レーザー光のＳ偏光光の多くを反射させ
るとともに一部をモニター光として透過させる第２ハーフミラーであり、前記第１ハーフ
ミラー１７を透過した第２レーザー光及び第３レーザー光を対物レンズ方向へ透過させる
とともに光ディスクから反射されてくる第１レーザー光、第２レーザー光及び第３レーザ
ー光の戻り光であるＰ偏光光を第１ハーフミラー１７の方向へ透過させるように構成され
ている。
【００４６】
２０は前記第２ハーフミラー１９を透過する第１レーザー光のモニター光が照射される
位置に設けられている第２フロントモニターダイオードであり、第１レーザー光の出力に
応じた検出信号を出力するように構成されている。即ち、前記第２フロントモニターダイ
オード２０から得られる検出信号を利用することによってレーザーダイオード１から放射
される第１レーザー光の出力を所望のレーザー出力になるように制御することが出来る。
【００４７】
斯かる構成において、本発明の光ピックアップ装置は、第２レーザー光及び第３レーザ
ー光が第１ハーフミラー１７を透過するときに発生する非点収差を第２ハーフミラー１９
を透過するときに発生する非点収差によって相殺するように構成されている。即ち、２つ
のハーフミラーにて発生する非点収差の方向が反対になるように設定することによって非
点収差を相殺することが出来るので、第２対物レンズ１２に入射される第２レーザー光及
び第３レーザー光に含まれる収差を取り除くことが出来る。従って、第２光ディスク及び
第３光ディスクに記録されている信号の読み出し動作を良好に行うことが出来る光ピック
アップ装置を提供することが出来る。
【００４８】
斯かる構成において、レーザーダイオード１から生成放射される第１レーザー光は、第
１回折格子２、第２ハーフミラー１９、１／４波長板９、コリメートレンズ１０、波長選
択性素子１３、立ち上げミラー１４を介して第１対物レンズ１１に導かれ、該第１対物レ
ンズ１１の集光動作によって第１光ディスクＤ１の信号記録層Ｌ１に集光される。
【００４９】
また、前記第１光ディスクＤ１の信号記録層Ｌ１から反射される第１レーザー光の戻り
光は、第１対物レンズ１１、立ち上げミラー１４、波長選択性素子１３、コリメートレン
ズ１０、１／４波長板９、第２ハーフミラー１９及び第１ハーフミラー１７を介して光検
出器１６に照射される。
【００５０】
そして、レーザーダイオード１から放射される第１レーザー光の一部が第２ハーフミラ
ー１９を透過して第２フロントモニターダイオード２０に照射される動作が行われる。
【００５１】
このように、レーザーダイオード１から放射される第１レーザー光の第１光ディスクＤ
１の信号記録層Ｌ１への集光動作、該信号記録層Ｌ１から反射される戻り光の光検出器１
６への照射動作及び第２フロントモニターダイオード２０へのモニター光の照射動作が行
われるので、フォーカス制御動作、トラッキング制御動作及びレーザー光の出力制御動作
を行うことによって第１光ディスクＤ１の信号記録層Ｌ１に記録されている信号の読み出
し動作を行うことが出来る。
【００５２】
次に、２波長レーザーダイオード３から生成放射される第２レーザー光は、第２回折格
子４、第１ハーフミラー１７、第２ハーフミラー１９、１／４波長板９、コリメートレン
ズ１０、波長選択性素子１３を介して第２対物レンズ１２に導かれ、該第２対物レンズ１
２の集光動作によって第２光ディスクＤ２の信号記録層Ｌ２に集光される。
【００５３】
また、前記第２光ディスクＤ２の信号記録層Ｌ２から反射される第２レーザー光の戻り
光は、第２対物レンズ１２、波長選択性素子１３、コリメートレンズ１０、１／４波長板
９、第２ハーフミラー１９及び第１ハーフミラー１７を介して前記光検出器１６に照射さ
れる。
【００５４】
そして、２波長レーザーダイオード３から放射される第２レーザー光の一部が第１ハー
フミラー１７にて反射されて第１フロントモニターダイオード１８に照射される動作が行
われる。
【００５５】
このように、２波長レーザーダイオード３から放射される第２レーザー光の第２光ディ
スクＤ２の信号記録層Ｌ２への集光動作、該信号記録層Ｌ２から反射される戻り光の光検
出器１６への照射動作及び第１フロントモニターダイオード１８へのモニター光の照射動
作が行われるので、フォーカス制御動作、トラッキング制御動作及びレーザー光の出力制
御動作を行うことによって第２光ディスクＤ２の信号記録層Ｌ２に記録されている信号の
読み出し動作を行うことが出来る。
【００５６】
また、２波長レーザーダイオード３から生成放射される第３レーザー光は、第２回折格
子４、第１ハーフミラー１７、第２ハーフミラー１９、１／４波長板９、コリメートレン
ズ１０、波長選択性素子１３を介して第２対物レンズ１２に導かれ、該第２対物レンズ１
２の集光動作によって第３光ディスクＤ３の信号記録層Ｌ３に集光される。
【００５７】
また、前記第３光ディスクＤ３の信号記録層Ｌ３から反射される第３レーザー光の戻り
光は、第２対物レンズ１２、波長選択性素子１３、コリメートレンズ１０、１／４波長板
９、第２ハーフミラー１９及び第１ハーフミラー１７を介して前記光検出器１６に照射さ
れる。
【００５８】
このように、第１光ディスクＤ１の信号記録層Ｌ１から反射される第１レーザー光の戻り光、第２光ディスクＤ２の信号記録層Ｌ２から反射される第２レーザー光の戻り光及び第３光ディスクＤ３の信号記録層Ｌ３から反射される第３レーザー光の戻り光は、それぞれ第２ハーフミラー１９を透過した後、第１ハーフミラー１７により反射されて光検出器１６に照射される。その為、フォーカス制御方法に非点収差法が採用される場合は、第１、第２及び第３レーザー光の各戻り光が前記第２ハーフミラー１９を透過することにより前記各戻り光に非点収差が発生されるので、この非点収差を用いることが可能である。この非点収差の発生方向、及びあるいは非点収差の強度がフォーカス制御に適さない場合は、第１ハーフミラー１７と光検出器１６の間にフォーカス制御に適合する非点収差を発生するアナモフィックレンズや非点収差発生板等の非点収差発生光学素子を配備すれば良い。
【００５９】
そして、２波長レーザーダイオード３から放射される第３レーザー光の一部が第１ハー
フミラー１７にて反射されて第１フロントモニターダイオード１８に照射される動作が行
われる。
【００６０】
このように、２波長レーザーダイオード３から放射される第３レーザー光の第３光ディ
スクＤ３の信号記録層Ｌ３への集光動作、該信号記録層Ｌ３から反射される戻り光の光検
出器１６への照射動作及び第１フロントモニターダイオード１８へのモニター光の照射動
作が行われるので、フォーカス制御動作、トラッキング制御動作及びレーザー光の出力制
御動作を行うことによって第３光ディスクＤ３の信号記録層Ｌ３に記録されている信号の
読み出し動作を行うことが出来る。
【００６１】
前述したように第１ハーフミラー１７及び第２ハーフミラー１９の２つのハーフミラー
によって非点収差を相殺するようにしたので、第１ハーフミラー１７及び第２ハーフミラー１９としてプリズム型ではなく板状のビームスプリッタを使用することが出来る。
【産業上の利用可能性】
【００６２】
ＣＤ規格、ＤＶＤ規格及びＢｌｕ−ｒａｙ規格の光ディスク記録されている信号の読み
出し動作を行う光ピックアップ装置に実施した場合について説明したが、その他の異なる
規格の光ディスクに記録されている信号の読み出し動作を行うことが出来る光ピックアッ
プ装置に実施することも出来る。
【符号の説明】
【００６３】
１      レーザーダイオード
３      ２波長レーザーダイオード
９      １／４波長板
１０    コリメートレンズ
１１    第１対物レンズ
１２    第２対物レンズ
１６    光検出器
１７    第１ハーフミラー
１８    第１フロントモニターダイオード
１９    第２ハーフミラー
２０    第２フロントモニターダイオード
【図１】
2012074126.tif 000003
【図２】
2012074126.tif 000004
【図３】
2012074126.tif 000005